【事件の表示】
　特願２０１６−１７０２１６「塗布栓」拒絶査定不服審判事件〔平成３０年　３月　８日出願公開、特開２０１８−　３４８５９、請求項の数（５）〕について、次のとおり審決する。
【結　論】
　原査定を取り消す。
　本願の発明は、特許すべきものとする。
【理　由】
第１　手続の経緯
　本願は、平成２８年８月３１日の出願であって、その手続の経緯は以下のとおりである。
　令和元年１２月２４日付け：拒絶理由通知
　令和２年３月９日　　　　：意見書、手続補正書の提出
　令和２年３月１６日付け　：拒絶査定
　令和２年６月２４日　　　：審判請求書の提出
第２　原査定における拒絶の理由の概要
　原査定の拒絶の理由は、この出願の請求項１〜４に係る発明は、本願の出願前に日本国内又は外国において、頒布された又は電気通信回線を通じて公衆に利用可能となった下記の引用文献１〜２に記載された発明に基いて、この出願の請求項５に係る発明は、本願の出願前に日本国内又は外国において、頒布された又は電気通信回線を通じて公衆に利用可能となった下記の引用文献１〜２に記載された発明及び引用文献３に例示される周知技術に基いて、その出願前にその発明の属する技術の分野における通常の知識を有する者が容易に発明をすることができたものであるから、特許法２９条２項の規定により特許を受けることができない、というものである。
引用文献１：特開平０６−１７０３２０号公報
引用文献２：実願昭６１−００３７９２号（実開昭６２−１１８５７０号）のマイクロフィルム
引用文献３：特開２００２−０７９１６８号公報（周知技術を示す文献）
第３　本願発明
　本願の請求項１〜５に係る発明（以下、それぞれ「本願発明１」〜「本願発明５」という。）は、令和２年３月９日提出の手続補正書によって補正された特許請求の範囲の請求項１〜５にそれぞれ記載された事項によって特定される次のとおりのものである。
「【請求項１】
　容器本体の口部に装着されると共に、前記容器本体内に連通する連通孔、及び前記連通孔に連通し、且つ内容液を吐出する吐出孔が形成された筒状の中栓部材と、
　前記中栓部材の内側に、先端部が前記吐出孔から外部に突出した状態で前記連通孔側に向けて移動可能に配設された塗布部材と、
　前記塗布部材を前記吐出孔側に向けて付勢する付勢部材と、を備え、
　前記中栓部材には、前記連通孔と前記吐出孔との間に位置する部分に、前記塗布部材に形成された弁体が前記連通孔側から離反可能に当接する弁座が形成され、
　前記中栓部材と前記塗布部材との間には、前記塗布部材の先端部を前記吐出孔の外部に突出させた状態で、前記連通孔側に向けた前記塗布部材の所定量を超える移動を規制する規制部材が配設され、
　前記塗布部材は、
　　前記弁体が形成された第１塗布部材と、
　　前記第１塗布部材よりも前記吐出孔側に配設され、先端部が前記吐出孔から外部に突出した第２塗布部材と、を備え、
　前記中栓部材は、
　　前記規制部材として機能する第２環状壁部と、
　　前記第１塗布部材を囲むと共に、その内側が前記吐出孔に連通し、前記弁座が形成された筒体と、
　　前記第２塗布部材を移動可能に収容すると共に、前記吐出孔を有する収容筒部と、を備え、
　前記第１塗布部材と前記筒体との間には、内容液を前記連通孔から前記吐出孔に向けて供給する環状の隙間が形成され、
　前記第２塗布部材と前記収容筒部との間は、内容液が流通する液通路、及び外部から前記容器本体内に外気を導入させる空気通路として機能し、
　前記塗布部材は、前記第２塗布部材が前記第２環状壁部に接触することで、前記環状の隙間を塞ぐと共に、前記連通孔側へのそれ以上の移動が規制される、塗布栓。
【請求項２】
　請求項１に記載の塗布栓において、
　前記弁座は、前記筒体の開口端縁に形成され、
　前記弁体は、前記吐出孔側から前記連通孔側に向かうに従い漸次拡径したテーパ状に形成されている、塗布栓。　
【請求項３】
　請求項１又は２に記載の塗布栓において、
　前記第２塗布部材は、内容液を含浸可能な含浸材で形成されている、塗布栓。
【請求項４】
　請求項１から３のいずれか１項に記載の塗布栓において、
　前記中栓部材は、
　　前記容器本体の口部に装着され、前記連通孔が形成された第１中栓部材と、
　　前記第１中栓部材に対して組み合わされ、前記第２環状壁部、前記筒体及び前記収容筒部を有する第２中栓部材と、を備え、
　前記第１中栓部材は、前記付勢部材を前記連通孔側から支持する支持部を備えている、塗布栓。
【請求項５】
　請求項１から４のいずれか１項に記載の塗布栓において、
　前記付勢部材は、金属製のコイルスプリングとされている、塗布栓。」
第４　引用文献、引用発明
１．引用文献１について
　原査定の拒絶の理由に引用された上記引用文献１には、図面とともに次の事項が記載されている。
「【特許請求の範囲】
【請求項１】　変形自在な液含浸性材料からなる軸本体と、この軸本体を長手方向に沿って包囲する硬質材料からなる保持部材とで構成されてなる液剤用塗布軸。
【請求項２】　液剤容器の口部近傍に、環状弁座と、この環状弁座の内側に挿通した弁杆と、該弁杆を閉弁側へ押し付けるばね部材とからなるバルブ機構が設けられ、上記液剤容器の口部に先端開口を有する塗布先ホルダーが装着され、この塗布先ホルダー内に請求項１記載の液剤用塗布軸が先端部を上記先端開口から外方突出して且つ基端部を上記弁杆に接して軸方向移動自在に装填されてなる液剤塗布器。」
「【発明の詳細な説明】
【０００１】
【産業上の利用分野】この発明は、修正液、マーキングインキ、液状接着剤、液状シール剤等の液剤を塗布するのに用いられる塗布軸と、これを液剤容器の塗布先部に装着した塗布器に関する。」
「【００１０】
【課題を解決するための手段】この発明は、上述の情況に鑑み、液流通性に優れ、常に使用開始時から良好な塗布性を発揮でき、しかも被塗面に強く押し付けても軸形状の崩れを生じず、修正液や肉盛り状筆記線を得る高粘度インキを始めとする種々の高粘度液剤の塗布に適用可能な塗布軸と、これを用いたバルブ機構付きの液剤塗布器を提供することを目的としている。
【００１１】上記目的において、この発明の請求項１に係る液剤用塗布軸は、変形自在な液含浸性材料からなる軸本体と、この軸本体を長手方向に沿って包囲する硬質材料からなる保持部材とで構成したものである。
・・・
【００１３】
【作用】この発明の液剤用塗布軸では、硬質の保持部材により被塗面への押圧に耐える剛性が確保されるから、軸本体は軸形状を保つための硬度を必要としない。従って、軸本体として、例えば軟質合成樹脂の連続気泡発泡体からなる所謂スポンジ、従来のノック式マーカー等に汎用される塗布軸よりも繊維密度が小さく柔らかい合成繊維束よりなる軸体、毛のような細い線材を単に束ねた刷毛状ないし毛筆状のもの等、専ら液流通性のよい変形自在な液含浸性材料を利用でき、これによって従来では液含浸性の塗布軸には使用できなかった高粘度インキ、修正液、液状接着剤、液状シール剤等の高粘度液剤の塗布にも適用可能となる。
【００１４】また軸本体が変形自在な材料であるため、その先端部は被塗面へ押し付けた際に潰れるが、押圧の解除により元の状態に復帰して以降の塗布に支障を生じることがない上、この塗布時の先端部の潰れとそれに伴う軸本体の撓みによって塗布性能が著しく改善されることになる。」
「【００１８】
【実施例】図１はこの発明を適用した一実施例の液剤塗布器を示す。図中、１は内部に高粘度液剤を収容する合成樹脂又は金属製の長円筒状の容器（上部のみ図示）であり、その口部１ａの内側に半硬質合成樹脂樹脂からなる弁ケース２が挿嵌されると共に、該口部１ａの外側には先端側へ段階的に縮径した筒形の硬質合成樹脂からなる塗布先ホルダー３が基端側でねじ部４を介して螺着されている。そして、塗布先ホルダー３内には、塗布軸５がその先端部を該ホルダー３の先端開口３ａより外方突出する状態で挿嵌配置されると共に、軟質合成樹脂スポンジ等よりなるリング状の液含浸体６が塗布軸５の基端部に外嵌する形で装填されている。また弁ケース２内には塗布軸５と同軸上に配置した弁杆７及びコイルスプリング８が装填されている。３ｂは塗布先ホルダー３の先端側内周に形成された軸方向に沿うガイド突条である。なお、不使用時には塗布先部に図示しないキャップが嵌着される。
【００１９】塗布軸５は、図２でも示すように、軟質合成樹脂の連続気泡発泡体（スボンジ体）よりなる軸本体５０と、これを被包する硬質材料からなる有底筒状の保持部材５１とで構成されており、該保持部材５１の斜め切りした先端開口５１ａより軸本体５０の先端部５０ａが膨出している。そして、保持部材５１の下部周面には多数の透孔５１ｂが設けられている。
【００２０】弁ケース２は、下部が若干縮径した略円筒形のケース本体２０と、その上部開口側に挿嵌した略短円筒形の弁座部材２１とからなり、両者２０，２１の上縁外周のフランジ部２０ａ，２１ａが重合した状態で容器１の開口端縁に係止されると共に、該開口端縁と塗布先ホルダー３の内面に形成された環状段部３ｃとの間で挟着されてパッキンとして機能している。しかして、弁座部材２１は下端部内周が環状弁座９を構成している。
【００２１】弁杆７は、図２でも示すように、太径の上軸部７ａと細径の下軸部７ｂとの間に下方へ拡径する鍔状の弁体部１０を有している。そして、該弁体部１０の下側の環状段部７ｃと、ケース本体２０の下端部内周に突設したばね受け片２０ｂとの間に、コイルスプリング８が圧縮状態で装填されており、その蓄力によって弁杆７は弁体部１０が環状弁座９に押当して閉弁するように付勢されており、この閉弁状態で弁杆７の上下両端部が弁ケース２の外側へ突出し、且つ上端部は塗布軸５の基端に接している。
【００２２】上記構成の液剤塗布器では、塗布に当たり、被塗面に塗布軸５の先端を押し付けて退入させる。これにより、弁杆７が塗布軸５に押されてコイルスプリング８の付勢に抗して退入作動し、その弁体部１０が環状弁座９から離れて開弁し、その間隙より容器１内の液剤が塗布先ホルダー３内に流入し、液含浸体６を透過して塗布軸５における保持部材５１の透孔５１ｂを通って軸本体５０に供給される。しかして、塗布軸５の先端を被塗面に接触させたまま移動することにより、軸本体５０を透通した液剤がその先端部５０ａより被塗面に線状に塗布される。一方、塗布軸５の被塗面への押し付けを解除すれば、コイルスプリング８の蓄力により弁杆７が進出作動して閉弁し、塗布軸５への液剤の供給が絶たれる。」
「
」
　以上に摘記した事項及び図示を総合すると、上記引用文献１には次の発明（以下、「引用発明」という。）が記載されていると認められる。
「容器１の口部１ａの内側に弁ケース２が挿嵌され、弁ケース２は、下部が若干縮径した略円筒形のケース本体２０と、その上部開口側に挿嵌した略短円筒形の弁座部材２１とからなり、両者２０，２１の上縁外周のフランジ部２０ａ，２１ａが重合した状態で容器１の開口端縁に係止され、
　該口部１ａの外側には先端側へ段階的に縮径した筒形の塗布先ホルダー３が基端側でねじ部４を介して螺着され、
　塗布先ホルダー３内には、軟質合成樹脂の連続気泡発泡体（スボンジ体）よりなる軸本体５０と、これを被包する硬質材料からなる有底筒状の保持部材５１とで構成された塗布軸５がその先端部を該ホルダー３の先端開口３ａより外方突出する状態で挿嵌配置されると共に、リング状の液含浸体６が塗布軸５の基端部に外嵌する形で装填され、
　弁座部材２１は下端部内周が環状弁座９を構成しており、
　弁ケース２内には塗布軸５と同軸上に配置した弁杆７及びコイルスプリング８が装填され、弁杆７は、太径の上軸部７ａと細径の下軸部７ｂとの間に下方へ拡径する鍔状の弁体部１０を有し、該弁体部１０の下側の環状段部７ｃと、ケース本体２０の下端部内周に突設したばね受け片２０ｂとの間に、コイルスプリング８が圧縮状態で装填されており、その蓄力によって弁杆７は弁体部１０が環状弁座９に押当して閉弁するように付勢されており、
　弁体部１０が環状弁座９から離れて開弁した間隙より容器１内の液剤が塗布先ホルダー３内に流入し、液含浸体６を透過して塗布軸５における保持部材５１の透孔５１ｂを通って軸本体５０に供給され、塗布軸５の先端を被塗面に接触させたまま移動することにより、軸本体５０を透通した液剤がその先端部５０ａより被塗面に線状に塗布される、
液剤塗布器。」
２．引用文献２について
　原査定の拒絶の理由に引用された上記引用文献２には、図面とともに次の事項が記載されている。
「前記塗布部材３は、軸筒２に先端部を突出させて緩挿され、後端面を弁機構部４の弁杆前面に当接させており、バネ体で弾圧された弁体４−１を塗布部材３先端の押圧及び押圧解除により作動させて塗布液の流出をコントロールするよう構成されている。（弁機構部４は、従来より公知の構造が有効である。）」（明細書５ページ１３〜１９行）
「
」
　以上に摘記した事項及び図示を総合すると、上記引用文献２には、「塗布部材３は、後端面を弁機構部４の弁杆前面に当接させており、バネ体で弾圧された弁体４−１を塗布部材３先端の押圧及び押圧解除により作動させて塗布液の流出をコントロールする」という技術的事項が記載されていると認められる。
第５　対比・判断
（なお、以下において下線は強調のため当審が付した。）
１．本願発明１について
（１）対比
　引用発明の「容器１」は、その機能・構成からみて、本願発明１の「容器本体」に相当するから、引用発明の「容器１の口部１ａ」は、本願発明１の「容器本体の口部」に相当する。
　そして、引用発明は「容器１内の液剤が塗布先ホルダー３内に流入」するものであるから、引用発明の
「容器１の口部１ａの内側に」「挿嵌され、」「下部が若干縮径した略円筒形のケース本体２０と、その上部開口側に挿嵌した略短円筒形の弁座部材２１とからなり、両者２０，２１の上縁外周のフランジ部２０ａ，２１ａが重合した状態で容器１の開口端縁に係止され」た「弁ケース２」
「先端開口３ａ」が形成され、「該口部１ａの外側に」、「基端側でねじ部４を介して螺着され先端側へ段階的に縮径した筒形の塗布先ホルダー３」
　引用発明の「太径の上軸部７ａと細径の下軸部７ｂとの間に下方へ拡径する鍔状の弁体部１０」は、本願発明１の「弁体」に相当するから、引用発明の
「太径の上軸部７ａと細径の下軸部７ｂとの間に下方へ拡径する鍔状の弁体部１０を有し」、「弁ケース２内に」「装填され」「塗布軸５と同軸上に配置した弁杆７」
「塗布先ホルダー３内には、」「その先端部を該ホルダー３の先端開口３ａより外方突出する状態で挿嵌配置されると共に、リング状の液含浸体６が塗布軸５の基端部に外嵌する形で装填され」た「軟質合成樹脂の連続気泡発泡体（スボンジ体）よりなる軸本体５０と、これを被包する硬質材料からなる有底筒状の保持部材５１とで構成された塗布軸５」
　引用発明の
「ケース本体２０の下端部内周に突設したばね受け片２０ｂとの間に、」「圧縮状態で装填されて」いる「コイルスプリング８」
　引用発明の「環状弁座９」は、本願発明１の「弁座」に相当する。
　引用発明の「略短円筒形の弁座部材２１」は、本願発明１の「前記規制部材として機能する第２環状壁部」及び「前記第１塗布部材５０を囲むと共に、その内側が前記吐出孔２１に連通し、前記弁座４５が形成された筒体」と、「第２環状壁部」及び「前記第１塗布部材を囲むと共に、その内側が前記孔に連通し、前記弁座が形成された筒体」である限りにおいて、一致する。
　引用発明の「先端側へ段階的に縮径した筒形の塗布先ホルダー３」は、本願発明１の「前記第２塗布部材を移動可能に収容すると共に、前記吐出孔を有する収容筒部」と、「前記第２塗布部材を移動可能に収容すると共に、前記孔を有する収容筒部」である限りにおいて、一致する。
　引用発明の「弁体部１０が環状弁座９から離れて開弁した間隙より容器１内の液剤が塗布先ホルダー３内に流入」することは、本願発明１の「前記第１塗布部材と前記筒体との間には、内容液を前記連通孔から前記吐出孔に向けて供給する環状の隙間が形成され」と、「前記第１塗布部材と前記筒体との間には、内容液を前記連通孔から前記孔に向けて供給する環状の隙間が形成され」ている限りにおいて、一致する。
　そうすると、本願発明１と引用発明とは、次の一致点で一致し、相違点１〜３で相違する。
［一致点］
「容器本体の口部に装着されると共に、前記容器本体内に連通する連通孔、及び前記連通孔に連通する孔が形成された筒状の中栓部材と、
　前記中栓部材の内側に、先端部が前記孔から外部に突出した状態で前記連通孔側に向けて移動可能に配設された塗布部材と、
　前記塗布部材を前記吐出孔側に向けて付勢する付勢部材と、を備え、
　前記中栓部材には、前記連通孔と前記孔との間に位置する部分に、前記塗布部材に形成された弁体が前記連通孔側から離反可能に当接する弁座が形成され、
　前記塗布部材は、
　前記弁体が形成された第１塗布部材と、
　前記第１塗布部材よりも前記孔側に配設され、先端部が前記吐出孔から外部に突出した第２塗布部材と、を備え、
　前記中栓部材は、
　第２環状壁部と、
　前記第１塗布部材を囲むと共に、その内側が前記孔に連通し、前記弁座が形成された筒体と、
　前記第２塗布部材を移動可能に収容すると共に、前記吐出孔を有する収容筒部と、を備え、
　前記第１塗布部材と前記筒体との間には、内容液を前記連通孔から前記孔に向けて供給する環状の隙間が形成される、塗布栓。」
［相違点１］
　「中栓部材」に形成された「孔」について、本願発明１は「内容液を吐出する吐出孔」でるのに対し、引用発明は「先端開口３ａ」であり、内容液を吐出するものではない点。
［相違点２］
　本願発明１は「前記第２塗布部材と前記収容筒部との間は、内容液が流通する液通路、及び外部から前記容器本体内に外気を導入させる空気通路として機能し」ているのに対し、引用発明は「弁体部１０が環状弁座９から離れて開弁した間隙より容器１内の液剤が塗布先ホルダー３内に流入し、液含浸体６を透過して塗布軸５における保持部材５１の透孔５１ｂを通って軸本体５０に供給され、塗布軸５の先端を被塗面に接触させたまま移動することにより、軸本体５０を透通した液剤がその先端部５０ａより被塗面に線状に塗布される」ものであり、「塗布軸５」と「塗布先ホルダー３」との間を「液剤」が流通しない点。
［相違点３］
　「第２環状壁部」について、本願発明１は、「規制部材として機能」し、「前記塗布部材は、前記第２塗布部材が前記第２環状壁部に接触することで、前記環状の隙間を塞ぐと共に、前記連通孔側へのそれ以上の移動が規制される」ものであるのに対し、引用発明はその点が不明である点。
（２）相違点についての判断
　相違点１及び２について検討する。
　引用発明は「弁体部１０が環状弁座９から離れて開弁した間隙より容器１内の液剤が塗布先ホルダー３内に流入し、液含浸体６を透過して塗布軸５における保持部材５１の透孔５１ｂを通って軸本体５０に供給され、塗布軸５の先端を被塗面に接触させたまま移動することにより、軸本体５０を透通した液剤がその先端部５０ａより被塗面に線状に塗布される」ことを前提とするものであるから、「塗布軸５」と「塗布先ホルダー３」との間を「液剤」が流通し、「液剤」が「先端開口３ａ」から吐出することはない。
　また、引用発明は「液流通性に優れ、常に使用開始時から良好な塗布性を発揮でき、しかも被塗面に強く押し付けても軸形状の崩れを生じず、修正液や肉盛り状筆記線を得る高粘度インキを始めとする種々の高粘度液剤の塗布に適用可能な塗布軸と、これを用いたバルブ機構付きの液剤塗布器を提供すること」（【００１０】）を発明が解決しようとする課題とし、当該課題を解決するために、「塗布軸５」を「軟質合成樹脂の連続気泡発泡体（スボンジ体）よりなる軸本体５０と、これを被包する硬質材料からなる有底筒状の保持部材５１とで構成」したものであるから、引用発明には、「保持部材５１」を取り除き、「容器１内の液剤が塗布先ホルダー３内に流入し、液含浸体６を透過して塗布軸５における保持部材５１の透孔５１ｂを通って軸本体５０に供給」しない構成とする動機はないし、上記相違点１及び２に係る構成とすることに阻害要因がある。
　したがって、上記相違点３について検討するまでもなく、本願発明１は、当業者であっても、引用発明及び引用文献２に記載された技術的事項に基いて容易に発明できたものとはいえない。
２．本願発明２〜５について
　本願発明２〜５は、本願発明１を直接的あるいは間接的に引用する発明であるから、本願発明１と同一の構成を備えるものである。
　上記１．に示したように、本願発明１は、引用発明及び引用文献２に記載された技術事項に基いて、当業者が容易に発明をすることができたものであるとはいえないから、本願発明１の構成をすべて包含しさらに限定された発明である本願発明２〜５も、同様に引用発明及び引用文献２に記載された技術事項に基いて、当業者が、容易に発明できたものとはいえない。
第６　むすび
　以上のとおり、本願発明１〜５は、当業者が引用発明及び引用文献２に記載された技術的事項に基づいて容易に発明をすることができたものではないから、特許法第２９条第２項の規定により特許を受けることができないものであるとはいえない。
　したがって、原査定の理由によっては、本願を拒絶することはできない。
　また、他に本願を拒絶すべき理由を発見しない。
　よって、結論のとおり審決する。